(57)【要約】    【課題】  商品のイメージをアップすることができ、また購入後においても再利用することができる合成樹脂製の容器を提供する。    【解決手段】  一枚のシート地からなる長方形の前面４および後面５と、二重のシート地７ａ、７ｂから袋状に形成された左右の側襠面８および底襠面９とからなり、全ての生地は無色透明のビニル製の生地でなっている合成樹脂製の容器１。容器１の側襠面８の袋部８ａ、８ｂおよび底襠面９の袋部９ａには有色透明のオイル１０が密封状態で収納されていて、側襠面８は上方から下方に向けて無色透明部１３から有色透明部１４へと色目が徐々に変化し、底襠面は全面が有色透明部になっている。【選択図】  図１
2006224985.tif 000002
【特許請求の範囲】
【請求項１】
可撓性の合成樹脂シートからなる有底筒型の容器において、該容器の少なくとも筒部が透明で、前記シートの全部あるいは一部が二重の液密状の袋部に形成され、その袋部に流動体または半流動体を密閉状態で収納している合成樹脂製の容器。
【請求項２】
前記容器の底面が透明で、その底面に前記袋部が形成されている請求項1記載の合成樹脂製の容器。
【請求項３】
前記流動体または半流動体が有色透明である請求項1または２記載の合成樹脂製の容器。
【請求項４】
前記袋部の一部に流動体または半流動体が浸入しない窓部が形成されている請求項３記載の合成樹脂製の容器。
【請求項５】
前記筒部上端の開口部付近に一対の提げ手を設けている請求項１記載の合成樹脂製の容器。
【請求項６】
前記合成樹脂シートが耐水性を有し、全体として水密性を有する請求項１記載の合成樹脂製容器。
【発明の詳細な説明】
【技術分野】
【０００１】
本発明は商品の装飾用容器として兼用することができる包装用の合成樹脂製の容器に関する。
【背景技術】
【０００２】
近年、中に収納されている商品が外見できるように透明の包装容器が使用されている。しかしこのような包装用の容器のほとんどは装飾性がないので、商品の購入後は利用価値がなく、処分対象になってしまっている。また商品が容器に入れて使用するものである場合は、商品のイメージを向上させるような装飾性を有したガラス容器などを別途用意しなければならない。
さらに詳述すると、例えば水族館などの観光地で魚などの模型が販売されたりすることがある。店頭では商品が展示されているが、商品は外見できるように透明の包装袋などに入れて販売されている。しかしこのような展示方法では、水族館で泳ぐ魚の臨場感はなく、また商品イメージが充分に発揮されていないといった問題点がある。また購入した商品の模型の魚を臨場感溢れるものにするため、適当な容器を別途用意する必要があり、非常に面倒である。前者の問題点を解消するためには、模型の魚をたとえば水槽の中で浮いているようにして商品見本を展示すればよい。また後者の問題点を解消するためには模型の魚と水槽をセット販売すればよい。しかし水を入れて浮かせるような展示方法は煩雑であり、また模型の魚と水槽のセット販売は嵩張るので、持ち帰りが困難といった問題が生じる。また商品の在庫時においては嵩張るし、また破損しやすいなど、管理上の問題もある。
【発明の開示】
【発明が解決しようとする課題】
【０００３】
本発明は商品のイメージをアップすることができ、また購入後においても再利用することができる合成樹脂製の容器を提供することを課題とする。
【課題を解決するための手段】
【０００４】
本発明の合成樹脂製の容器（請求項１）は、可撓性の合成樹脂シートからなる有底筒型の容器において、該容器の少なくとも筒部が透明で、前記シートの全部あるいは一部が二重の液密状の袋部に形成され、その袋部に流動体または半流動体を密閉状態で収納していることを特徴としている。なお、ここでいう可撓性とは、容器の自立および折畳みが可能な性質を意味する。またここでいう容器とは、包装用の入れ物や運搬用あるいは梱包用の入れ物を意味する。
【０００５】
前記容器の底面は透明で、その底面に前記袋部が形成されているのが好ましい（請求項２）。
【０００６】
また前記流動体または半流動体が有色透明であるものが特に好ましい（請求項３）。
【０００７】
また前記袋部の一部に流動体または半流動体が侵入しない窓部が形成されているものであってもよい（請求項４）。
【０００８】
前記筒部の上端の開口部付近に一対の提げ手を設けているものはさらに好ましい（請求項５）。
【０００９】
また前記合成樹脂シートが耐水性を有し、全体として水密性を有するものは特に好ましい（請求項６）。
【発明の効果】
【００１０】
本発明の合成樹脂製の容器（請求項１）は、可撓性の合成樹脂シートからなる有底筒型の容器で、少なくとも筒部は透明になっている。さらにその筒部の全部あるいは一部は二重の液密状の袋部に形成され、その袋部には流動体または半流動体が密閉状態で収納されている。つまり流動体または半流動体が収納されている上記
袋部は肉厚になっている。したがってその筒部は張り力が増すので、容器の自立状態は安定し、また転倒を防止することができる。また上記袋部は前記シートが二重の液密状になって形成されているので、流動体または半流動体が収納されている当該袋部は緩やかな膨らみを形成する。またこの袋部の膨らみの形態はまるでガラス製のような優しいイメージが醸し出されている。したがって筒部が肉薄の部分はガラス製ではなく合成樹脂製であることが外見されるのに対し、膨らみの部分はガラス製のように外見されるので、容器は合成樹脂とガラスが融合した外観になっている。
また前記袋部の全部に流動体または半流動体が収納されている場合は、筒部全体に張りがでるので、容器は一層、安定し、型崩れや転倒を防止することができる。  
以上のとおり、袋部に流動体又は半流動体が収納されている場合、容器は一般的な合成樹脂製の物とは異なり装飾性を有するので、非常に高級感があり、また再利用の途もあるので、経済的である。
【００１１】
さらに前記筒部または袋部は可撓性であるから、これを押したりまた叩いたりすると、中に収納されている流動体または半流動体は動いたり、また振動したりすることが可能になっている。またその様子は外見できる。したがって本発明の容器は従来の容器にはない動きのある意匠であって、非常に趣向性が高く、また遊び心を兼ね備えている。
【００１２】
また前記流動体または半流動体は衝撃吸収効果もあるので、容器内の収納物を保護することが可能になっている。例えば運搬時の揺動において、容器内で収納物が揺れ動いても大きな損傷を受けることなく、無事に目的地まで移送することができる。
【００１３】
またシートは可撓性を有し、流動体または半流動体は筒部の変形に対応することが可能になっているので、筒部を折り畳んで、容器の嵩を低くにすることができる。したがってこの容器は運搬および在庫を省スペースで行うことができる。
【００１４】
また前記容器の底面が透明で、その底面に前記袋部が形成されている場合（請求項２）、底面は前記の筒部同様、袋部または筒部を押したり叩いたりすることによって静止状態の流動体または半流動体が変化する様子を外見することができるので、前記筒部同様、様々の作用効果を有している。また底面の流動体または半流動体による衝撃吸収の作用は、容器を台上などに置く時に底面と台とのぶつかり合いを緩和するのに有効である。例えば容器内の収納物の重量がそれ相当である場合、収納物と台とのぶつかり合いは流動体または半流動体が緩衝するから、ぶつかり音は緩和され、また収納物の損傷も防止される。
【００１５】
前記流動体または半流動体が有色透明である場合（請求項３）、前記袋部または筒部に形成された膨らみは着色されているので、一層明確に外見することができる。容器内の収納物はこの流動体あるいは半流動体を通して見ることができるので、収納物は実際の色と異なる色で外見することができる。例えば前記流動体または半流動体が青色に着色されている容器の場合、容器に収納する水とその水に浮く魚の模型は海中にいる魚を見るがごとき雰囲気を味わうことができる。また中の水は色付き水にする必要はないので、商品は水で汚損されない。
【００１６】
前記袋部の一部に流動体または半流動体が侵入しない窓部が形成されている場合（請求項４）、この窓部は有色透明部の中にこれとは異なる色の透明部になっている。したがって一つの収納物を袋部および窓部から見ることによって、異なる色で観察することができる。前例で言えば海中における魚の色と実際の魚の色の違いを外見することができる。また窓部から中の魚を見る場合、海中を覗き見るイメージとなり興趣が高まる。
【００１７】
また前記筒部の上端の開口部付近に一対の提げ手を設けている場合（請求項５）、一対の提げ手を相互に近づけた状態、あるいは一まとめにした状態の容器は、開口部の開口状態を一定状態で保持することが可能になっている。したがって容器の形状は長期にわたって保持することができる。また開口部が収納物の重みによって大きく拡がらない。したがって容器は収納物によって変形したり、またバランスを崩したりしない。
【００１８】
前記合成樹脂シートが耐水性を有し、全体として水密性を有している場合（請求項６）、この容器は水槽として使用することができる。容器は可撓性であるから、筒部を外側より押すことによって、中に収納される水は刺激され、水が動く状態を外見することができる。また同時に水中の魚や浮遊状態の装飾物などにも影響して、それらの動きを外見することができる。したがってこの容器を水槽として使用する場合、この容器は上記作用効果を具備しているので、従来の水槽では全く体験することができなかった楽しみ方を実現することができる。
【００１９】
また上記流動体または半流動体は容器内の水に屈折して他の筒部に反射することが可能になっている。したがって流動体または半流動体が着色されている場合、その流動体または半流動体は当該筒部の面において外見されるのはもちろんのこと、他の筒部にも同時に映し出されるので、着色されたように見える部分は実際よりも広範囲におよび、また水が部分的に着色されたようにも外見される。また筒部は、見る角度によって着色の領域および表情は変化するので、いろんな外観の容器を観賞することができる。
【発明を実施するための最良の形態】
【００２０】
次に図面を参照しながら本発明の容器の実施形態を説明する。図１は本発明の容器の一実施形態を示す正面斜視図、図２ａ乃至図２ｃは図１のＡＡ線断面図、ＢＢ線断面図そしてＣＣ線断面図、図３は容器の折り畳み状態の斜視図、図４はその他の実施形態を示す正面斜視図、図５は容器の一使用状態を示す正面斜視図、図６ａおよび図６ｂは収納物の一例を示す正面図である。
【００２１】
図１に示す容器１は、開口部付近に一対の提げ手２を設けており、いわゆる手提げかばんの外観を呈している。またこの容器１はこれ自体は自立することが可能な硬さと折り畳むことが可能な柔らかさを程よく備えている。提げ手２にはこれを一体にするための留め具３が設けられている。提げ手２は容器１を携行するときの実質的な使用法以外に、容器をフックなどに下げる引っ掛け部として使用することもできる。さらに提げ手２は前記留め具３で一まとめにすることによって、容器１の開口部が収納物によって押されて、開口部が拡大したり、また型崩れしたりするのを防止するのに使用することもできる。
【００２２】
容器１は図１および図２ａ乃至図２ｃで示すように一枚のシート地からなる長方形の前面４および後面５と、二重のシート地７ａ、７ｂから袋状に形成された左右の側襠面８および底襠面９とからなり、全ての生地は無色透明のビニル製の生地でなっている。袋状に形成された側襠面８および底襠面９の袋部８ａおよび９ａには有色透明のオイル１０が密封状態で収納されている。
上記袋部８ａおよび９ａは図２ａで示すように連通状態で一体形成されているが、折り曲げてそれぞれを独立した袋部に形成している。その折り曲げ部Ｏは袋の内面同士が極めて緊密な状態で密着しているので、通常、それぞれの袋部８ａ、８ｂ、９ａに収納されているオイル１０は流通しないようになっている。側襠面の袋部８ａ、８ｂには概略下半分位にオイル１０が収納され、底襠面の袋部９ａには満杯に収納されているが、各袋部８ａ、９ａのオイルの収納量および収納状態は保持される。しかし緊密状態を解消すべく、前記折り曲げ部Ｏを伸ばしてそれぞれの袋部８ａ、９ａを連通させれば、中のオイル１０は移動させることが可能になっているから、該袋部のオイル量は自由に調整することができる。
なお、前記折り曲げ部Ｏの密着状態が緊密でない場合、あるいはオイルの粘度が低い場合、袋部８ａに収納されたオイル１０は折り曲げ部Ｏを通過して、袋部９ａが満杯状態になるまで流動する。また満杯後は流動が停止するので、袋部８ａは一定量のオイル１０を安定した状態で収納しておくことができる。
【００２３】
図２ａ乃至図２ｃに示すように袋部８ａおよび９ａ自体には襠がないので、袋部の内面同士、つまり前記二重のシート７ａ、７ｂは密着し易くなっている。特に粘性のあるオイル１０の膜が介在している部分は一層、緊密に密着することになる。またオイル１０が収納されている部分の二重のシート７ａ、７ｂは離れるが、二重のシート７ａ、７ｂの間にオイル１０を封じ込むことになる。なおこうして封じ込まれたオイル１０は一定の形状を形成するが、前記袋部８ａの内面同士の密着度は均一ではないので、同じオイル量であってもその輪郭は異なる。
【００２４】
図１に示すように前面４とこれに隣接する底襠面９および側襠面８の境界部、また後面５とこれに隣接する底襠面９および側襠面８の境界部はそれぞれ溶着されているので、硬くなっている。この溶着部１１は前面４また後面５の長方形の縁に設けられているので、容器１の型崩れを防止するための補強リブとして作用する。したがってこの溶着部１１は容器１にそれ相当の収納物が収納された場合においても、型崩れや転倒を防止するのに非常に有効である。
【００２５】
実施形態の側襠面の袋部８ａ、８ｂには、図１のとおり、袋部８ａ、８ｂの上方はオイル１０が収納されておらず、また袋部９ａ内にはオイル１０を満杯状態で収納している。したがって袋部８ａ、８ｂ、９ａに収納されているオイル１０は二重のシートによって封じ込まれるので、収納状態は安定し、またその輪郭はほぼ一定に保持される。また容器を揺り動かしてもこの収納状態はほとんど変化することはない。しかし袋部８ａ、８ｂ内のオイルは指などで押すと袋部内で移動し、瞬間的にその輪郭は変化することになる。
【００２６】
上記のとおり封じ込まれたオイル１０（以下、パック状態のオイル１０と称す。）の側襠面の袋部８ａ、８ｂまたは側襠面８は部分的に膨らんでいるが、そのパック状態のオイルの形状は周縁から内側に向かって徐々に膨らんでいる。つまり前記パック状態のオイル１０は概略凸レンズ状に立体形成されているので、滑らかな面になっている。またオイルは有色透明であるから、前記パック状態のオイル１０は周縁から内側に向かって徐々に色が濃くなっている。したがってパック状態のオイル１０はまるで手作りのガラス製のような非常に優しいイメージの模様として外見することができる。
【００２７】
また図１に示すようにパック状態のオイル１０の上方は二重のシート７ａ、７ｂの内面同士が密着しているので、前面４および後面５のように一枚生地のように外見されると共にほとんど無色透明になっている。したがって側襠面８は上方から下方に向けて無色透明部１３から有色透明部１４へと色目が徐々に変化しているので、自然で違和感のない色の変化を呈している。また有色透明部１４は周縁から内側へと徐々に膨らみが厚くなっているが、例えば有色透明部１４を斜め方向から見ると無色透明部１３との境界付近の縁が濃い色に外見される。したがって有色透明部１４の形状は見る方向によって色の濃さおよびその範囲が変わるので、いろんなバリエーションの模様を呈することができる。このように側襠面８は無色透明部１３と有色透明部１４の二色からなり、また前者はほぼ扁平で後者は立体的な形態になっているが、こうした形態は無色透明１２の袋部８ａ、８ｂと有色透明１３のオイル１０とのコラボレーションによるものであって、色の移り変りが自然に表現されると共に面の膨らみが非常に滑らかに、かつ美しく仕上げられている。
さらに側襠面の一部分、つまりオイル１０が収納されている部分はクッション性と張性を有しているので、容器内の収納物を衝撃から保護することができ、また容器は凹み難くなっているので、美麗な状態で使用することができる。なお、袋部８ａ、８ｂにオイルを満杯状態で収納しておけば、側襠面８は一層、確かなクッション性と張性を有することができる。
【００２８】
底襠面の袋部９ａは図２ｂおよび図２ｃに示すようにオイル１０が満杯状態で収納されており、底襠面９は非常に肉厚になっているのが外見される。またこの底襠面９は全面がクッション性を有しているので、底襠面９への衝撃に対し、容器内の収納物はより確かに保護されることを可能にしている。したがって容器１の底襠面９が物にぶつかったとき、また容器１を置くときに底襠面が載置用の台にぶつかったときなどに生じる衝撃は底襠面９によって吸収されるので、容器内の収納物は直撃を免れることができる。また底襠面９は全面的に張性を有しているので、物がぶつかっても凹んだままになることは防止されている。また容器内の収納物が少々重い物であっても、張り力によって底襠面が下側に突出するのを防止することができる。したがって、底襠面は簡単に型崩れをしないから、美しい外観を保持することができる。また審美的効果を有するだけでなく、例えばガラスや精密機器など、衝撃に弱い物などの運搬用の容器としても十分機能することが可能になっているので、安心して使用することができる。特に側襠面の袋部８ａがオイル1０で満杯状態で収納されている場合は一層、運搬容器としての利用価値は高い。
【００２９】
なお、袋部８ａ、９ａに収納されているオイル１０はコーナ部Ｏの折り曲げを伸ばせば、底襠面の袋部９ａ内のオイル１０を側襠面の袋部８ａ、８ｂへ強制的に移動させることは可能であるから、例えば側襠面８の袋部８ａ、８ｂを満杯状態にすることも可能である。したがって有色の底襠面から無色の底襠面へ変化させると共に無色の側襠面から有色の側襠面へと変化させることができるから、全く色目の異なる面の容器を形成することができる。また側襠面８に収納されているオイル量を変化させることによって、形状の異なる模様が形成されるので、容器の模様は好みに応じて変更させることもできる。また各袋部のオイル量をほぼ均一にすることもできる。
【００３０】
実施形態では、側襠面８と底襠面９は上記のとおりオイル１０が設けられているので、中の収納物はいずれの面からでも透視することが可能になっている。しかし袋部８ａ、８ｂ、９ａ越しに見る場合は、容器１内の収納物はその物の色が諸に外見されず、オイルの色と重なって見え、前面４または後面か５らは実際の色が外見できる。つまり中の収納物の色は見る面または位置によって異なる色を外見することができる。なお、左右の側襠面８に変えて前面４および後面５にオイルの袋部を設けてもよい。また衝撃緩和作用を重視するときは、容器の全面を袋状に形成して、オイルを収納してもよい。さらにオイル量は袋部を満杯にするか否かは中に収納する物とのイメージに合うようにすることが望ましい。満杯状態のオイルは外周の形状がでないが、襠のない袋部に密閉されている場合、膨らんでいる形態そのものが非常に審美的な印象を覚えるので、意匠効果はある。さらに着色されたオイルは色の濃淡差が明確に表現されているので、美しいグラデーションを外見でき、装飾のある容器として使用することができる。
【００３１】
上記図１に示す容器は、図３に示すように側襠面８および底襠面９をそれぞれ内側に折り込んで畳むことができる。折り畳まれた状態の容器１は有色透明のオイル１０が無色透明の収納部１２を取り囲んでいるので、まるで額縁のように外見される。収納部１２の中には扁平状あるいは立体状のいずれの物も収納することは可能であるから、その物はまるで額縁に納められたような状態で収納される。したがってこのような額縁の外観を呈する収納形態はこれまでの容器の収納方法としてはなかったので、非常に斬新かつ高級感溢れるものになっている。
なお、底襠面の袋部９ａはオイル１０量を減少すべく側襠面の袋部８ａ、８ｂに移動させることによって簡単に折り畳むことができる。また折り畳み部Ｏが緊密に密着していない場合は、底襠面の袋部９ａ内のオイル１０は袋部９ａを折畳んで押さえ込むことによって当該部分のオイル１０は側襠面の袋部８ａ、８ｂに強制的に流れ、全体を嵩低い扁平状態に折畳むことができる。
【００３２】
その他の実施形態の容器２０としては、図４に示すように図１の袋部８ａの形成場所を前面２１及び後面２２に変えたものである。図１の容器と同じく、全ての生地は無色透明のビニル製の生地でなっている。袋部２１ａおよび２２ａは同様に二重のシート地２３ａ、２３ｂによって形成されている。また底襠面２４も袋部２４ａが形成されている。前面２１および底襠面２４また後面２２および底襠面２４の境界部はそれぞれが溶着しているので、側襠面の袋部２１ａ、２１ｂおよび底襠面の袋部２４ａは不連通の状態になっている。また前記各袋部に収納されているオイル２５は流通しない。前記側襠面の袋部２１ａはその一部分に円形などの輪郭で二重のシート地２３ａ、２３ｂ同士を溶着し、オイル２５が侵入できないように閉塞状態の窓２６に形成されている。窓２６の形状は円形、角形
など適当な形状でよいが、容器２０の中に収納されている物の実際の色が明確に認識できる程度の大きさおよび形状が望ましい。前面２１は有色透明の面の中に窓２６が無色透明の面として部分的に形成されているので、収納される収納物の実際の色は無色透明の面越しに見ることができる。また収納物は有色透明の面を透過して見たときに、無色透明部からの色とは異なる色を呈するので、一つの物を異なるパターンの配色でほぼ同時に外見できる。したがって前面２１からの光景は収納物が色彩豊かな配色になっているものであればあるほど、一層豊かな色彩量を観賞することができる。なお底襠面は図１の実施形態のように側襠面と共に二重のシートによって袋部を形成したものが強度の面からは好ましいが、底襠面だけを二重のシートによって袋部を形成してもよい。
【００３３】
図５は図１に示す容器１を水槽として使用する場合の使用状態を示している。側襠面８の袋部８ａ、８ｂおよび底襠面９の袋部９ａには海や川のイメージカラーである青色の透明のオイル１０が収納されている。
容器１の大きさについては水を収納した状態において、容器１が転倒しない大きさの範囲内であることが重要である。容器１を水槽として使用する場合の大きさは、概略、幅５〜１５センチメートル、とくに９センチメートル、高さは５〜１4センチメートル、とくに１０．５  センチメートル（提げ手の部分は含まない。）、奥行きは２〜６センチメートル、とくに４センチメートルで、主に模造の水棲動物を収納する。例えば図６ａに示す魚の模型Ｆ（以下、模型Ｆと称す。）はてぐすＴを介して浮き玉Ｋに連結しているので、水中を浮遊し、また人為的に動かすことが可能になっている。この模型は小型ではあるが、容器１に水Ｗを収納することによって、前面４および後面５の表面は緩やかな凸面を形成するので、容器１の中に収納されている模型Ｆは前面４または後面５方向から観察すると、実物よりも大きく外見される。
また前面４および後面５は本来、無色透明ではあるが、容器１を図５に示すように斜め上方から見た様子は、後面５に底襠面９の青色が反射して青色に看取され、また容器１の水は青色のように錯覚されるので、まるで海または川の雰囲気を醸し出している。特に図６ｂに示すように容器１の底に砂Ｓ１、小石Ｓ２、貝Ｋ１の実物あるいは模型、海草Ｋ２の模型など、川底または海底に生息するものを沈めておくことによって、青色の底襠面９は川底または海底さながらの光景に映るので、一層、臨場感溢れるものになる。なお、上記砂Ｓ１、小石Ｓ２、貝Ｋ１は実物でもよいが、透明あるいは半透明のガラスなどで形成した色鮮やかな模型にすることによって、一層、見栄えを良くすることができる。
【００３４】
上記模型Ｆは浮き玉Ｋを容器１の外側から押すことによって、水中で動かすことができるので、まるで海中を泳いでる魚のように看取される。つまり小型の容器と上記模型Ｆの組み合わせにより、海の中を垣間見るような雰囲気をコンパクトに醸し出している。また模型が川に生息する魚の場合も川の中を覗き見るような光景を醸しだすことができる。
【００３５】
この容器１はこれまでのガラス製やアクリル製のように硬質のものではなく、柔軟であるから、容器１の外側より中の水Ｗを間接的に押すことができる。水は揺れ動き、また模型Ｆも直ぐに反応して動くので、ただ観賞するだけではなく、遊ぶこともできる。また折り畳んで嵩低くすることも可能になっているから、持ち運びは非常に軽便である。また落下しても破損することはないので、安全である。水を張った水槽を移動させるとき、提げ手２をもって移動すれば、容器１に直接、手をかけないで済むから、容器１内の水は押されて溢れ出ない。またこの提げ手２を止め具３で一体にすると、水を大量に収納しても容器１の開口部は拡がらないようにできるので、転倒することなく安心して使用することができる。
【００３６】
容器１は、図３に示すように側襠面および底襠面を内側に折り畳んだ場合、容器は青色のフレームの額縁の形態となるが、収納部１２に収納される模型Ｆは周りが青色で囲まれているので、水がなくても川や海の中にいるような雰囲気が醸し出される。このような形態は模型Ｆを店頭などで販売する際の包装用の容器としても使用することができる。この包装容器は模型Ｆを単に透明な箱に入れているものとは異なり、模型Ｆをイメージアップさせることができる。そして持ち帰った容器１はそのままの状態で壁にかけて観賞してもよいし、また広げて、容器１に水を張って使用してもよい。後者の場合、持ち帰った容器をそのまま水槽として使用することができるので、ガラス製やアクリル製の容器を別途、用意する必要がないので、非常に便利である。なお、オイルは半透明でも使用できる。またオイルに代えて透明，半透明のジェルなども半流動体も使用できる。
【図面の簡単な説明】
【００３７】
【図１】図１は本発明の容器の一実施形態を示す一部破断の正面斜視図である。
【図２】図２ａ、図２ｂ，図２ｃは図１のＡＡ線断面図ＢＢ線断面図、ＣＣ線断面図である。
【図３】図３は折畳み状態の斜視図である。
【図４】その他の実施形態を示す正面斜視図である。
【図５】容器の使用状態を示す正面斜視図である。
【図６】図６ａは魚の模型の正面図、図６ｂはその他の模型を示す正面図である。
【符号の説明】
【００３８】
１  容器
２  提げ手
３  留め具
４  前面
５  後面
７ａ  シート地
７ｂ  シート地
８  側襠面
８ａ  袋部
８ｂ  袋部  
９  底襠面
９a  袋部
１０  オイル
１１  溶着部
１２  収納部
１３  無色透明部
１４  有色透明部
２０  容器
２１ａ  袋部
２２  後面
２２ａ  袋部
２３ａ  シート地
２３ｂ  シート地
２４  底襠面
２４ａ  袋部
２５  オイル
２６  窓
Ｆ  魚の模型
Ｔ  てぐす
Ｋ  浮き玉
Ｓ１  砂
Ｓ２  小石
Ｋ１  貝
Ｋ２  海藻
【図１】
2006224985.tif 000003
【図２】
2006224985.tif 000004
【図３】
2006224985.tif 000005
【図４】
2006224985.tif 000006
【図５】
2006224985.tif 000007
【図６】
2006224985.tif 000008